(57)【要約】【課題】衝撃又は振動等が生じても、相手側コネクタとの接続又は非接続の所要の一方の状態を確実に維持できるコネクタのロック機構を提供する。【解決手段】（Ａ），（Ｂ）において、ドライバを上カム６ａの溝６ａ１に挿入して、上カムをカバー３の穴３ｂ内方にばね８を圧縮して押し込む。すると、上カムは、（Ｃ）の状態に至り、一対の被ロックボス６ａ２は、カバーの一対のロックボス溝３ｂ３からロック解除される。次に、上カムを９０°右回転すると、上カムは、（Ｄ），（Ｅ）の状態に至る。このとき、上カムの長方形ボス６ａ３と下カム６ｂの長方形ボス穴６ｂ１とがはまっているため、下カム６ｂも９０°右回転する。したがって、下カムはアクチュエータをスライドさせ、アクチュエータはソケットコンタクトをピンコンタクトに接触させる。続いて、ドライバを溝から撤去すると、上カムは、ばねの拡張力によって（Ｆ）の状態に至る。このとき、各被ロックボスは、カバー３の一対のロックボス溝３ｂ４内に進入する。すなわち、上カムは、回転を制止されてロックされる。【選択図】      図６
2004281174.tif 000002
【特許請求の範囲】
【請求項１】
カムの操作によって、相手側コネクタとの接続と非接続の切替を行うコネクタにおいて、
前記カムは、その回転をロックされる被ロック部が設けられた第１のカムと、前記両コネクタの接続と非接続の切替を行うカム部が設けられた第２のカムとから構成され、
前記第１のカムは、スライド可能に、かつ、回転可能に前記コネクタのインシュレータに保持され、前記第２のカムは、回転可能に前記インシュレータに保持され、かつ、前記第１のカムの回転に連動して回転し、
前記第１のカムと前記第２のカムとは、対向して配設され、弾性部材で離間する方向に常時付勢されることによって、前記第１のカムの被ロック部が前記インシュレータに設けられたロック部にロックされ、
前記第１のカムを前記第２のカムに向かってスライドさせてロックを解除した後、前記第１のカムの回転によって、前記両コネクタの接続と非接続の切替を行うことを特徴とするコネクタのロック機構。
【請求項２】
前記被ロック部は、位相が１８０°異なる一対の被ロックボスであり、前記ロック部は、位相が９０°異なる二対のロックボス溝であることを特徴とする請求項１記載のコネクタのロック機構。
【請求項３】
前記弾性部材は、圧縮コイルばねであって、前記第２のカムに設けられた長方形ボス穴と円形穴に挿入され、前記第１のカムの長方形ボスによって圧縮されることを特徴とする請求項１記載のコネクタのロック機構。
【発明の詳細な説明】
【０００１】
【発明の属する技術分野】
本発明は、ＺＩＦ（Ｚｅｒｏ  Ｉｎｓｅｒｔｉｏｎ  Ｆｏｒｃｅ  無挿入力）等のコネクタに関し、特に、スライド操作によって相手側コネクタとの接続と非接続の切替が行われるコネクタにおいて、接続又は非接続の所要の一方の状態を確実に維持することができるロック機構に関する。
【０００２】
【従来の技術】
従来のＺＩＦコネクタについて図８を参照して説明する（例えば、特許文献１参照）。図８（Ａ）は非接続状態、図８（Ｂ）は接続状態を、それぞれ示す。
【０００３】
ＺＩＦコネクタは、ピンコネクタ２１とソケットコネクタ３１とから構成される。
【０００４】
ピンコネクタ２１は、多数のピンコンタクト２２と、各ピンコンタクト２２を保持するベースインシュレータ２３と、ベースインシュレータ２３上で左右方向にスライド可能なハウジング２４と、ハウジング２４をスライドさせるレバー２５と、レバー２５を回転させるスライダ２６とから構成される。
【０００５】
レバー２５は、支点２５ａを中心として回転可能であり、一端側にカム２５ｂを有し、他端側に円柱状突起２５ｃを有する。
【０００６】
スライダ２６は、略３角形状の穴２６ａを有し、穴２６ａの傾斜面２６ａ１は、レバー２５の円柱状突起２５ｃに圧接する。
【０００７】
ソケットコネクタ３１は、多数のソケットコンタクト３２と、各ソケットコンタクト３２を保持するインシュレータ３３とから構成される。インシュレータ３３に設けられた一対の凹部３３ａ（右方のものの図示を省略）は、ハウジング２４に設けられた一対の凸部２４ａ（右方のものの図示を省略）にはまる。
【０００８】
図８（Ａ）の状態では、各ピンコンタクト２２の先端は、各ソケットコンタクト３２の二股状の先端の間に挿入されているが、各ピンコンタクト２２は、各ソケットコンタクト３２に電気的に確実には接触していない。
【０００９】
図８（Ａ）の状態において、スライダ２６を左方向にスライドさせると、スライダ２６の傾斜面２６ａ１は、レバー２５の円柱状突起２５ｃを押すので、レバー２５は、支点２５ａを中心として左回転し、図８（Ｂ）の状態に至る。このとき、カム２５ｂは、ハウジング２４を右方向にスライドさせる。すると、ソケットコネクタ３１のインシュレータ３３も右方向に移動するので、各ソケットコンタクト３２は、各ピンコンタクト２２を弾性変形させる。したがって、各ピンコンタクト２２は、各ソケットコンタクト３２に電気的に確実に接触するため、ピンコネクタ２１は、ソケットコネクタ３１と接続する。
【００１０】
この種のＺＩＦコネクタは、他の文献にも記載されている（例えば、特許文献２参照。）。
【００１１】
【特許文献１】
特開２０００−３０６６４２号公報（第３頁第３欄第４８行−第４欄第３４行、図７，８）
【００１２】
【特許文献２】
特開２０００−２８６０２５号公報（第４頁第６欄第４３行−第６頁第１０欄第４２行、図１，５，９）
【００１３】
【発明が解決しようとする課題】
前記従来のＺＩＦコネクタでは、スライダをスライドすることによって中間機構を介してＺＩＦコネクタの接続と非接続とを切替える。したがって、衝撃又は振動等がＺＩＦコネクタに生じると、ＺＩＦコネクタの接続又は非接続の所要の一方の状態が、確実には維持されない。
【００１４】
そこで、本発明は、前記従来のＺＩＦコネクタの欠点を改良し、衝撃又は振動等が生じても、相手側コネクタとの接続又は非接続の所要の一方の状態を確実に維持することができるコネクタのロック機構を提供しようとするものである。
【００１５】
【課題を解決するための手段】
本発明は、前記課題を解決するため、次の手段を採用する。
【００１６】
１．カムの操作によって、相手側コネクタとの接続と非接続の切替を行うコネクタにおいて、前記カムは、その回転をロックされる被ロック部が設けられた第１のカムと、前記両コネクタの接続と非接続の切替を行うカム部が設けられた第２のカムとから構成され、前記第１のカムは、スライド可能に、かつ、回転可能に前記コネクタのインシュレータに保持され、前記第２のカムは、回転可能に前記インシュレータに保持され、かつ、前記第１のカムの回転に連動して回転し、前記第１のカムと前記第２のカムとは、対向して配設され、弾性部材で離間する方向に常時付勢されることによって、前記第１のカムの被ロック部が前記インシュレータに設けられたロック部にロックされ、前記第１のカムを前記第２のカムに向かってスライドさせてロックを解除した後、前記第１のカムの回転によって、前記両コネクタの接続と非接続の切替を行うコネクタのロック機構。
【００１７】
２．前記被ロック部は、位相が１８０°異なる一対の被ロックボスであり、前記ロック部は、位相が９０°異なる二対のロックボス溝である前記１記載のコネクタのロック機構。
【００１８】
３．前記弾性部材は、圧縮コイルばねであって、前記第２のカムに設けられた長方形ボス穴と円形穴に挿入され、前記第１のカムの長方形ボスによって圧縮される前記１記載のコネクタのロック機構。
【００１９】
【発明の実施の形態】
本発明の一実施の形態例のＺＩＦコネクタのロック機構について図１〜図７を参照して説明する。
【００２０】
図１は、ソケットコネクタの４面図である。（Ａ）は背面図、（Ｂ）は平面図、（Ｃ）は正面図、（Ｄ）は側面図を、それぞれ示す。図４は、図１（Ｂ）における線Ｅ−Ｅによる断面図であり、図４（Ａ）はソケットコネクタとピンコネクタとが嵌合する前でアクチュエータのスライド前の状態、図４（Ｂ）はソケットコネクタとピンコネクタとが嵌合した後でアクチュエータのスライド後の状態を、それぞれ示す。
【００２１】
ソケットコネクタ１は、ケース（インシュレータ）２と、ケース２を被覆するカバー（インシュレータ）３と、カバー３に保持されるソケットコンタクト４と、ケース２にスライド可能に搭載されるアクチュエータ５と、アクチュエータ５をスライドさせるカム６（上カム６ａと下カム６ｂ）と、圧縮コイルばね８等とから構成される。
【００２２】
ケース２とカバー３とは、一対のねじ７によって固定される。カバー３に設けられた複数の突出穴３ａから、それぞれ各ソケットコンタクト４の先端部分が露呈する。ケース２には、ピンコネクタの複数のピンコンタクトを挿入するための複数の挿入穴２ａが、設けられる。
【００２３】
図２は、ソケットコネクタ１と接続するピンコネクタ１１の３面図であり、（Ａ）は正面図、（Ｂ）は平面図、（Ｃ）は側面図を、それぞれ示す。
【００２４】
ピンコネクタ１１は、インシュレータ１２と、インシュレータ１２に保持される複数のピンコンタクト１３とから構成される。各ピンコンタクト１３は、インシュレータ１２の一面側から突出してプリント基板に接続するためのピン状の端子１３ａと、インシュレータ１２の他面側から突出してソケットコンタクト４と接触するための薄板状のピン１３ｂとを有する。
【００２５】
図３は、ソケットコネクタ１のソケットコンタクト４の４面図であり、（Ａ）は正面図、（Ｂ）は側面図、（Ｃ）は背面図、（Ｄ）は下面図を、それぞれ示す。
【００２６】
各ソケットコンタクト４は、ケース２への固定部４ａと、第１の接点Ｐを含む略ヘ字形部４ｂと、略Ｕ字形状部４ｃと、第２の接点Ｐを含む略へ字形部４ｄと、アクチュエータ５に押圧される可動部４ｅと、固定部４ａから突出する端子部４ｆとから連続して一体に構成される。第１の接点Ｐと第２の接点Ｐとは、両者の間にギャップを有するように対向して構成される。また、第１の接点Ｐと第２の接点Ｐの各外側には、ガイド４ｂ１，４ｄ１が対称形に設けられる。ガイド４ｂ１，４ｄ１は、各ピンコンタクト１３のピン１３ｂが各ソケットコンタクト４と干渉することに起因して生じる座屈無しに無挿入力で各接点Ｐと接触するように、ピン１３ｂを各接点Ｐのギャップ内に導入する。このようにして、図４（Ａ）において、下カム６ｂが矢印方向に回転すると、アクチュエータ５は矢印方向に図４（Ｂ）の位置までスライドする。このとき、アクチュエータ５がソケットコンタクト４の可動部４ｅを変位させて、各接点Ｐは各ピンコンタクト１３のピン１３ｂを挟圧するＺＩＦ機能を営む（詳細は後述する。）。
【００２７】
図５は、ソケットコネクタ１とピンコネクタ１１とが嵌合する前後の要部の拡大断面図であり、（Ａ）は嵌合前でアクチュエータ５のスライド前の状態（Ｂ）は嵌合後でアクチュエータ５のスライド後の状態をそれぞれ示す。
【００２８】
図５（Ａ）において、ソケットコンタクト４の大部分はケース２のコンタクト溝２ｃに収納され、固定部４ａの先端及び側面はそれぞれケース２のストッパ２ｄ及び固定壁２ｅに当接し、可動部４ｅはアクチュエータ５の駆動溝５ａに収納され、ガイド４ｂ１，４ｄ１はケース２のガイド溝２ｆに収納されている。ここで、各接点Ｐのギャップｇは、ピン１３ｂの厚さｔよりも大きく構成される。
【００２９】
ピンコネクタ１１がソケットコネクタ１と接続するとき、アクチュエータ５が図５（Ａ）の位置から図５（Ｂ）の位置までスライドすると、カム機構６の上カム６ａと下カム６ｂとが連動して右回転する（図１（Ａ）と図４（Ａ）参照）。ソケットコンタクト４の可動部４ｅは、アクチュエータ５の駆動溝５ａの斜面の角５ｂから力ｆ１  を受けるので、ソケットコンタクト４は、弾性変形する。このとき、固定部４ａの側面は、ケース２の固定壁２ｅから抗力を受けるので、各接点Ｐは、ピンコネクタ１１のピン１３ｂの両面を挟圧することによってその両面から力ｆ２  、ｆ３  を受ける。
【００３０】
本発明の要点のロック機構について図６と図７を参照して説明する。
【００３１】
図６（Ａ），（Ｂ）に示されるように、カバー３に設けられた円形のカム挿入用穴３ｂの上側には、円形の上カム６ａが開位置と閉位置との間を９０°回転可能に装着されている。上カム６ａは、表面にマイナスドライバ挿入用のマイナス溝６ａ１、周縁の対称位置に一対の被ロックボス６ａ２、裏面に長方形ボス６ａ３を、それぞれ有する。
【００３２】
上カム６ａに対応して、下カム６ｂがケース２とカバー３に９０°回転可能に装着されている。下カム６ｂは、表面に長方形ボス穴６ｂ１、長方形ボス穴６ｂ１に連続する圧縮コイルばね挿入用の円形穴６ｂ２、裏面に回転中心穴６ｂ３を、それぞれ有する。
【００３３】
上カム６ａの長方形ボス６ａ３と下カム６ｂの円形穴６ｂ２との間には、円形の圧縮コイルばね８が挿入されている。
【００３４】
カバー３のカム挿入用穴３ｂには、上カム６ａが上下方向に移動することができるように間隙３ｂ１，３ｂ２が設けられ、また、図７（Ａ）に示されるように、上カム６ａの一対の被ロックボス６ａ２が開位置（嵌合前）で係合する一対のロックボス溝３ｂ３と閉位置（嵌合後）で係合する一対のロックボス溝３ｂ４とが設けられる。一対の被ロックボス６ａ２は、位相が１８０°異なり、二対のロックボス溝３ｂ３，３ｂ４は、位相が９０°異なる。
【００３５】
ケース２には、アクチュエータ５がスライドすることができるようにアクチュエータ挿入用穴２ｂ（図５（Ｂ）参照）が設けられる。アクチュエータ５には、下カム６ｂが回転することができるように下カム挿入用穴５ｃ（図４（Ａ）参照）が設けられる。また、ケース２には、下カム６ｂの回転中心穴６ｂ３がはまる支持軸２ｇが設けられる。
【００３６】
ロック機構の操作について説明する。まず、図６（Ａ），（Ｂ）、図７（Ｂ）において、マイナスドライバ（図示せず）を上カム６ａのマイナス溝６ａ１に挿入して、上カム６ａをカバー３のカム挿入用穴３ｂ内方に圧縮コイルばね８を圧縮して押し込む。すると、上カム６ａは、図６（Ｃ）の状態に至り、一対の被ロックボス６ａ２は、カバー３の一対のロックボス溝３ｂ３からロックを解除される（換言すると、脱出する。）。
【００３７】
次に、上カム６ａを９０°右回転すると、上カム６ａは、図６（Ｄ），（Ｅ）、図７（Ｃ）の状態に至る。このとき、上カム６ａの長方形ボス６ａ３と下カム６ｂの長方形ボス穴６ｂ１とが図７（Ｄ）に示されるように、はまっているため、下カム６Ｄも９０°右回転する。したがって、図４（Ａ）に示されるように、下カム６ｂは、アクチュエータ５を矢印方向にスライドさせ、図４（Ｂ）に示される状態に至る。この状態では、下カム６ｂは、アクチュエータ５に力ｆ４の作用を及ぼし、アクチュエータ５は、各ソケットコンタクト４から力ｆ１  の反作用を受ける。
【００３８】
続いて、マイナスドライバを上カム６ａのマイナス溝６ａ１から撤去すると、上カム６ａは、圧縮コイルばね８の拡張力によって図６（Ｆ）に示される状態に至る。このとき、一対の被ロックボス６ａ２は、カバー３の一対のロックボス溝３ｂ４内に進入する。すなわち、上カム６ａは、回転を制止されてロックされる。
【００３９】
なお、本実施の形態例では、ケース２とカバー３とを、別個の部品から構成したが、１個の部品から構成するように設計変更することができる。
【００４０】
【発明の効果】
以上の説明から明らかなように、本発明によれば、次の効果が奏される。
【００４１】
１．コネクタと相手側コネクタとの接続又は非接続の所要の一方の状態は、衝撃又は振動等が生じても、コネクタのロック機構によって確実に維持される。
【００４２】
２．ロック機構の操作は、マイナスドライバ等による第１のカムの押し込みと回転と撤去であるので、簡単容易に行うことができる。
【００４３】
３．ロック機構は、第１のカムと第２のカムと弾性部材とから構成されるため、部品点数が少なく、構造が簡素、かつ、コンパクトで、組立分解が簡単容易で、コストが安価である。
【図面の簡単な説明】
【図１】本発明の一実施の形態例のソケットコネクタのロック機構の４面図であり、（Ａ）は背面図、（Ｂ）は平面図、（Ｃ）は正面図、（Ｄ）は側面図を、それぞれ示す。
【図２】同ソケットコネクタと接続するピンコネクタの３面図であり、（Ａ）は正面図、（Ｂ）は平面図、（Ｃ）は側面図を、それぞれ示す。
【図３】同ソケットコネクタのコンタクトの４面図であり、（Ａ）は正面図、（Ｂ）は側面図、（Ｃ）は背面図、（Ｄ）は下面図を、それぞれ示す。
【図４】図１（Ｂ）における線Ｅ−Ｅによる断面図であり、（Ａ）は同ピンコネクタが嵌合前で非接続状態、（Ｂ）は同ピンコネクタが嵌合後で接続状態を、それぞれ示す。
【図５】同ソケットコネクタと同ピンコネクタとが嵌合する前後の要部の拡大断面図であり、（Ａ）は嵌合前でアクチュエータのスライド前の状態、（Ｂ）は嵌合後でアクチュエータのスライド後の状態を、それぞれ示す。
【図６】同ソケットコネクタのロック機構の諸図であり、（Ａ）は非接続状態（開位置）の平面図、（Ｂ）は（Ａ）における線Ａ−Ａによる断面図、（Ｃ）は（Ｂ）において上カムがカバー内に押し込まれた状態の断面図、（Ｄ）は接続状態（閉位置）の平面図、（Ｅ）は（Ｄ）における線Ｂ−Ｂによる断面図、（Ｆ）は（Ｅ）において上カムが復元した状態の断面図を、それぞれ示す。
【図７】図６（Ｂ）における線Ｃ−Ｃと線Ｄ−Ｄによる各拡大断面図であり、（Ａ）は線Ｃ−Ｃによるもの（ただし、上カムを図示せず）、（Ｂ）は線Ｃ−Ｃによる非接続状態、（Ｃ）は線Ｃ−Ｃによる接続状態、（Ｄ）は線Ｄ−Ｄによるものを、それぞれ示す。
【図８】従来のＺＩＦコネクタの断面図であり、（Ａ）は非接続状態、（Ｂ）は接続状態を、それぞれ示す。
【符号の説明】
１    ソケットコネクタ
２    ケース（インシュレータ）
２ａ    挿入穴
２ｂ    アクチュエータ挿入用穴
２ｃ    コンタクト溝
２ｄ    ストッパ
２ｅ    固定壁
２ｆ    ガイド溝
２ｇ    支持軸
３    カバー（インシュレータ）
３ａ    突出穴
３ｂ    カム挿入用穴
３ｂ１    間隙
３ｂ２    間隙
３ｂ３    ロックボス溝
３ｂ４    ロックボス溝
４    ソケットコンタクト
４ａ    固定部
４ｂ    略へ字形部
４ｂ１    ガイド
４ｃ    略Ｕ字形状部
４ｄ    略へ字形部
４ｄ１    ガイド
４ｅ    可動部
４ｆ    端子部
５    アクチュエータ
５ａ    駆動溝
５ｂ    斜面の角
５ｃ    下カム挿入用穴
６    カム
６ａ    上カム
６ａ１    マイナス溝
６ａ２    被ロックボス
６ａ３    長方形ボス
６ｂ    下カム
６ｂ１    長方形ボス穴
６ｂ２    円形穴
６ｂ３    回転中心穴
７    ねじ
８    圧縮コイルばね
１１    ピンコネクタ
１２    インシュレータ
１３    ピンコンタクト
１３ａ    端子
１３ｂ    ピン
【図１】
2004281174.tif 000003
【図２】
2004281174.tif 000004
【図３】
2004281174.tif 000005
【図４】
2004281174.tif 000006
【図５】
2004281174.tif 000007
【図６】
2004281174.tif 000008
【図７】
2004281174.tif 000009
【図８】
2004281174.tif 000010